(57)【要約】【課題】天板を脚体から前方に張り出すように配置しても、安定して設置できるテーブルを提供すること。【解決手段】脚体２と、脚体２に枢支された支持アーム７と、支持アーム７に支持された天板６と、を備え、支持アーム７の回動により天板６の高さを調整可能としたテーブル１であって、脚体２は、上下方向に延びる脚柱３を有し、脚柱３の少なくとも一部が天板６から離間する方向に延設され、延設部位５に支持アーム７が枢支される。【選択図】図２
2010104409.tif 000002
【特許請求の範囲】
【請求項１】
脚体と、該脚体に枢支された支持アームと、該支持アームに支持された天板と、を備え、前記支持アームの回動により前記天板の高さを調整可能としたテーブルであって、
前記脚体は、上下方向に延びる脚柱を有し、該脚柱の少なくとも一部が前記天板から離間する方向に延設され、該延設部位に前記支持アームが枢支されることを特徴とするテーブル。
【請求項２】
前記脚柱における前記延設部位は、前記脚柱の上端部を前記天板から離間する方向に傾斜させて形成されることを特徴とする請求項１に記載のテーブル。
【請求項３】
前記脚柱における前記支持アームの基端部が枢支される部位よりも下方の部位に、前記天板を上方に付勢する付勢手段の基端部が枢支されることを特徴とする請求項１または２に記載のテーブル。
【請求項４】
前記支持アームは、先端部が前記天板に、基端部が前記脚柱に、各々枢支される２つのリンク部材が上下平行に配置される平行リンクとして構成され、前記天板の高さ調整を該平行リンクの回動により行うようになっていることを特徴とする請求項１ないし３のいずれかに記載のテーブル。
【請求項５】
前記天板は、その下部に下方に突出するアーム受け部を有し、該アーム受け部に前記２つのリンク部材の先端部を各々枢支するとともに、前記付勢手段の先端部が下方側の前記リンク部材の先端部近傍に枢支されることを特徴とする請求項４に記載のテーブル。
【発明の詳細な説明】
【技術分野】
【０００１】
本発明は、脚体と、該脚体に枢支された支持アームと、該支持アームに支持された天板と、を備え、前記支持アームの回動により前記天板の高さを調整可能としたテーブルに関する。
【背景技術】
【０００２】
従来のテーブルでは、左右の脚体の上端同士を横連結杆により連結し、この横連結杆に前後方向を向く少なくとも左右１対の天板支持体の後端部を横連結杆の前方に突出するように固着し、かつ左右の天板支持体に対して天板の大部分が横連結杆の前方に位置するように取り付けている（例えば、特許文献１参照）。
【０００３】
【特許文献１】特開２００６−１０２１０１号公報（第５頁、第２図）
【発明の開示】
【発明が解決しようとする課題】
【０００４】
特許文献１に記載のテーブルにあっては、天板が脚体から前方に張り出すように配置されるため、天板の下方の空間を大きく確保して、使用者の下肢を、余裕を持って天板の下方に配置させることができ、テーブルの使い勝手がよくなって便利であるが、天板の重心が脚体から大きく離れるので、天板の前部に大きな荷重が加わった際に、テーブルが不安定になる虞がある。
【０００５】
本発明は、このような問題点に着目してなされたもので、天板を脚体から前方に張り出すように配置しても、安定して設置できるテーブルを提供することを目的とする。
【課題を解決するための手段】
【０００６】
前記課題を解決するために、本発明の請求項１に記載のテーブルは、
脚体と、該脚体に枢支された支持アームと、該支持アームに支持された天板と、を備え、前記支持アームの回動により前記天板の高さを調整可能としたテーブルであって、
前記脚体は、上下方向に延びる脚柱を有し、該脚柱の少なくとも一部が前記天板から離間する方向に延設され、該延設部位に前記支持アームが枢支されることを特徴としている。
この特徴によれば、天板を支持する支持アームが枢支される部位が、天板から離間されているため、天板と支持アームとを含めた部材の重心が後方側に配置されるようになり、天板を脚体から前方に張り出すように配置し、その天板の前部に大きな荷重が加わっても、安定して設置できるテーブルとすることができる。
【０００７】
本発明の請求項２に記載のテーブルは、請求項１に記載のテーブルであって、
前記脚柱における前記延設部位は、前記脚柱の上端部を前記天板から離間する方向に傾斜させて形成されることを特徴としている。
この特徴によれば、天板から離間する延設部位を脚柱に容易に形成でき、かつ延設部位の下方側の空間に、延設部位を支持する部材等が配置されずに済むようになり、使用者の足等が配置される脚柱周りの空間を広くすることができる。
【０００８】
本発明の請求項３に記載のテーブルは、請求項１または２に記載のテーブルであって、
前記脚柱における前記支持アームの基端部が枢支される部位よりも下方の部位に、前記天板を上方に付勢する付勢手段の基端部が枢支されることを特徴としている。
この特徴によれば、付勢手段から天板に加わる付勢力の方向が、より垂直方向に近づくようになり、付勢手段により天板を持ち上げる力を大きく作用させることができ、支持アームが水平に近づいた場合であっても、付勢手段が天板に対して大きな付勢力を作用させることができる。
【０００９】
本発明の請求項４に記載のテーブルは、請求項１ないし３のいずれかに記載のテーブルであって、
前記支持アームは、先端部が前記天板に、基端部が前記脚柱に、各々枢支される２つのリンク部材が上下平行に配置される平行リンクとして構成され、前記天板の高さ調整を該平行リンクの回動により行うようになっていることを特徴としている。
この特徴によれば、天板を支持する支持アームに平行リンクを用いることによって、天板を常に水平に支持した状態で、天板の高さ調整を行うことができる。
【００１０】
本発明の請求項５に記載のテーブルは、請求項４に記載のテーブルであって、
前記天板は、その下部に下方に突出するアーム受け部を有し、該アーム受け部に前記２つのリンク部材の先端部を各々枢支するとともに、前記付勢手段の先端部が下方側の前記リンク部材の先端部近傍に枢支されることを特徴としている。
この特徴によれば、付勢手段から天板に加わる付勢力が、下方に突出するアーム受け部の下方側を押し上げるようにして、天板の前方側を持ち上げるように作用し、使用者に近い天板の前方側に大きな荷重が加わっても、付勢手段により天板を持ち上げることができる。
【発明を実施するための最良の形態】
【００１１】
本発明に係るテーブルを実施するための最良の形態を実施例に基づいて以下に説明する。
【実施例】
【００１２】
本発明の実施例を図面に基づいて説明すると、先ず図１（ａ）は、本発明の実施例におけるリンクテーブルの第１使用状態を示す斜視図であり、図１（ｂ）は、リンクテーブルの第２使用状態を示す斜視図であり、図２（ａ）は、リンクテーブルの第１使用状態を示す側面図であり、図２（ｂ）は、リンクテーブルの第２使用状態を示す側面図であり、図３は、支持アームとブラケットを示す分解斜視図であり、図４（ａ）は、ブラケットを示す斜視図であり、図４（ｂ）は、ブラケットを示す背面図であり、図５は、リンクテーブルの第１使用状態を示す縦断側面図であり、図６は、リンクテーブルの第２使用状態を示す縦断側面図であり、図７（ａ）は、図５における上部リンク部材の先端部周りを示す一部拡大縦断側面図であり、図７（ｂ）は、図６における上部リンク部材の先端部周りを示す一部拡大縦断側面図であり、図８は、図５におけるカバー部材を示すＡ−Ａ端面図である。以下、図２、図５、図６、図７の紙面左方側をリンクテーブルの正面側（前方側）として説明する。
【００１３】
図１（ａ）及び図１（ｂ）の符号１は、本発明におけるテーブルとしての企業の会議等で使用されるリンクテーブルである。このリンクテーブル１は、上下方向に延びる脚柱３を有しており、この脚柱３の下端部には、リンクテーブル１の外方に向かって複数本の側脚４が延設されている。
【００１４】
また、脚柱３の上端部には、支持体５が設けられており（図２参照）、この支持体５の上方に板状の天板６が配置されている。この天板６の形状は平面視において歪な略円形状をなす略そら豆型をしている。更に、支持体５には支持アーム７が枢支されており、天板６はこの支持アーム７によって支持されている。尚、脚柱３と側脚４と支持体５とによって本実施例における脚体２を構成している。
【００１５】
図２（ａ）及び図２（ｂ）に示すように、リンクテーブル１の天板６は、支持アーム７の前後方向への回動により前後方向に水平を維持しながら移動することで、リンクテーブル１が使用される高さ位置を調整可能となっている。
【００１６】
具体的には、リンクテーブル１を使用者が着座して使用する場合等では、天板６の床面からの高さ位置をＴ１（降下位置）とする第１使用状態と（図２（ａ）参照）、プレゼンテーション等の起立して使用する場合等では、天板６の高さ位置をＴ１よりも高いＴ２（上昇位置）とする第２使用状態と（図２（ｂ）参照）、で調整可能となっている。
【００１７】
尚、特に図示はしないが、リンクテーブル１は、使用者が使用する状況に応じて、第１使用状態（降下位置）と第２使用状態（上昇位置）との間の位置で天板６の高さを固定して使用することもできる。
【００１８】
次に、リンクテーブル１の構成について詳述する。脚柱３の下端部からリンクテーブル１の外側方に向かって延設される側脚４は、脚柱３から前後に２本ずつ延設されており、脚柱３を中心に平面視で略Ｘ形状をなすように配置されている。
【００１９】
また、これら側脚４は、前方側の側脚４の方が後方側の側脚４よりも長く形成されており、第１使用状態のリンクテーブル１が前方に向けて不用意に傾倒しないように支持している。更に、前方側の両側脚４間は、後方側の両側脚４間よりも広い空間を有しているため、天板６の下方に使用者が足を配置し易くなっている。
【００２０】
尚、側脚４の先端部には、キャスター８が取り付けられており、これらキャスター８によって脚体２は床面に設置され、リンクテーブル１は床面上を移動可能となっている。
【００２１】
脚柱３の上端に設けられる支持体５は、前方に配置されている天板６から離間する方向である後方に向かって、脚柱３の上端部から上方に傾斜をなす側面視で略三角形状に形成されており、支持体５の上端部は、脚柱３よりも後方になるように延設されている。この支持体５が本発明における延設部位を構成している。また、図５に示すように、支持体５の前方下部には、正面側に開口した収容空間５ａが形成されている。
【００２２】
支持体５の上端部には、左右方向から後上方に向けて枢支片５ｂが延設されており、これら枢支片５ｂ間には、角柱状に形成された上部リンク部材９の基端部が配置されている。そして、上部リンク部材９の基端部は左右の枢支片５ｂから左右を向く枢支軸２４ａによって枢支されており、上部リンク部材９は支持体５に対して上下方向に回動可能となっている。
【００２３】
図５及び図６に示すように、支持体５の収容空間５ａ内には、天板６を上方に向けて付勢するための本発明における付勢手段としてのガススプリング１１の基端部が左右方向を向く枢支軸２４ｃによって枢支されている。尚、ガススプリング１１の基端部を枢支する枢支軸２４ｃは、後述する下部リンク部材１０の基端部を枢支する枢支軸２４ｂよりも下方の部位に配置されている。
【００２４】
このガススプリング１１は、圧縮空気（ガス）を封入させたシリンダ１２と、このシリンダ１２内部に配置され、シリンダ１２の先端部から出し入れされるピストンロッド１３とを有しており、ピストンロッド１３を出し入れすることで、ガススプリング１１の長さが変更可能となっている。
【００２５】
支持体５における上部リンク部材９の基端部とガススプリング１１の基端部との間には、図３及び図５に示すように、支持体５を左右から挟むように２本の下部リンク部材１０が配置されており、これら上部リンク部材９と左右２本の下部リンク部材１０とによって支持アーム７を構成している。
【００２６】
これら下部リンク部材１０の基端部は、左右方向を向く枢支軸２４ｂによって支持体５に対して左右外方から枢支されており、下部リンク部材１０は、互いの側面を左右で対向させた状態で配置され、支持体５に対して上下方向に回動可能となっている。
【００２７】
図３に示すように、下部リンク部材１０の対向する左右内側面の後部側には、左右内側に互いに当接する当接面１４ａを有する側方突部１４が突設されている。これら側方突部１４は、下部リンク部材１０が支持体５に枢支されることにより互いに当接面１４ａを当接させてネジ等の固着手段により固着されており、左右の下部リンク部材１０の基端部と先端部との間での左右幅寸法が変化しないように保っている。
【００２８】
更に、これら下部リンク部材１０の先端部近傍の左右内側面には、図３及び図５に示すように、後述するカバー部材１５が嵌合するための円柱状の突軸部１０ａがリンクテーブル１の左右内側方に向かって突設されている。
【００２９】
ガススプリング１１の先端部側には、カバー部材１５が取り付けられている。このカバー部材１５は、上方及び前後方向に開口する略円筒形状に形成された収容部１５ａを有しており、この収容部１５ａ内にガススプリング１１を収容することで、ガススプリング１１の左右側方及び下方を被覆するようになっている。
【００３０】
収容部１５ａの先端部の左右には、左右の下部リンク部材１０の突軸部１０ａに回動可能に嵌合するための軸受部１５ｂが形成されており、これら軸受部１５ｂは側面視で略Ｃ字形状をなしている。カバー部材１５の後部には、左右側方からカバー部材１５の上方に向けて本発明における閉塞部としての閉塞板１５ｃが延設されている（図８参照）。
【００３１】
また、これら閉塞板１５ｃは、前方側に向けて下方に傾斜をなす側面視で略三角形状の板状部に形成されており、その下端部は鈍角形状に形成されている。図８に示すように、両閉塞板１５ｃの左右幅寸法は、左右外側方に配置されている両下部リンク部材１０間に挿通可能程度の長さに形成されている。尚、両閉塞板１５ｃと両下部リンク部材１０との間の離間寸法は、使用者の手指が入らない寸法となっている。
【００３２】
更に、カバー部材１５の後端部には、ガススプリング１１を挿通させるための環状の筒部１５ｄが形成されている。カバー部材１５は、この筒部１５ｄをガススプリング１１の先端部側から挿通させることで、ガススプリング１１を収容部１５ａ内に収納するようになっている。
【００３３】
図３及び図５に示すように、ガススプリング１１の先端部は、カバー部材１５の各軸受部１５ｂが左右の突軸部１０ａに嵌合することで、両突軸部１０ａ間に配置されるようになっている。この状態で、左右方向を向く枢支軸２４ｄによってガススプリング１１と両下部リンク部材１０とが枢支され、カバー部材１５の左右の閉塞板１５ｃは、下部リンク部材１０間に配置される。
【００３４】
ガススプリング１１が下部リンク部材１０と同軸である枢支軸２４ｄに枢支されたことにより、下部リンク部材１０はガススプリング１１を操作することで上下動するピストンロッドに付勢されるようになり、下部リンク部材１０はガススプリング１１の操作によって上下方向に回動可能となっている。
【００３５】
図２（ａ）に示すように、ガススプリング１１と下部リンク部材１０との間には、ガススプリング１１と下部リンク部材１０との先端部近傍で鋭角θをなす空間部１６が形成されるが、この空間部１６の先端部は、カバー部材１５の閉塞板１５ｃによって左右方向から閉塞されている。
【００３６】
図３に示すように、天板６の下面には、上部リンク部材９と下部リンク部材１０とを枢支するための本発明におけるアーム受け部としてのブラケット１７が取り付けられている。図４（ａ）及び図４（ｂ）に示すように、ブラケット１７は、上面が平坦に形成された板状のベース体１７ａを有しており、このベース体１７ａの前方側の下部には、枢支突部１７ｂが下方に向けて突設されている。
【００３７】
この枢支突部１７ｂの左右幅寸法は、両下部リンク部材１０の間の離間寸法と略同一に形成されており、枢支突部１７ｂの下端部には、左右方向に連通する枢支孔１７ｃが穿設されている。また、枢支突部１７ｂの後部には、本発明における突部としての当接突部１７ｄが下方に向けて突設されており、その下面は上部リンク部材９と当接する平坦な被当接面１７ｆに形成されている。この当接突部１７ｄのブラケット１７からの突設寸法は、枢支突部１７ｂよりも短寸に形成されている。
【００３８】
また、当接突部１７ｄの左右には、遮蔽板１７ｅが下方に向けて突設されている。これら遮蔽板１７ｅの内側面の間には、上部リンク部材９が遮蔽板１７ｅの間に挿通可能な程度の離間寸法に形成されている。更に、これら遮蔽板１７ｅの突設寸法は、当接突部１７ｄよりも長寸であるとともに、当接突部１７ｄよりも短寸に形成されている。尚、遮蔽板１７ｅにおける当接突部１７ｄよりも下方位置には、左右方向を向く枢支孔１７ｇが穿設されている。
【００３９】
上部リンク部材９の先端部は、左右の遮蔽板１７ｅ間に挿通された後、両枢支孔１７ｇ間に配置される。そして、２つの枢支孔１７ｇ間に枢支軸２４ｅが挿通されることによって、上部リンク部材９はブラケット１７に枢支されている。
【００４０】
また、下部リンク部材１０の先端部は、ブラケット１７の枢支孔１７ｃを左右から挟むように配置されている。この状態から左右方向を向く枢支軸２４ｆを下部リンク部材１０と枢支孔１７ｃに挿通させることによって、下部リンク部材１０はブラケット１７に枢支されている。このように上部リンク部材９及び下部リンク部材１０のそれぞれの両端部をブラケット１７と支持体５とに枢支することにより、上部リンク部材９と下部リンク部材１０とは、上下方向に平行となる平行リンク機構を構成している。
【００４１】
更に、図３及び図５に示すように、ブラケット１７の前部の下面には、ガススプリング１１の操作を行うためのレバー１８が取り付けられている。このレバー１８は、その内部にレバー１８を下方に向かって付勢される付勢体１９が備えられており、この付勢体１９には、左右端部から左右外側に向かって軸部１９ａが延設されており、この軸部１９ａを枢支突部１７ｂの左右に配置された保持体２０に保持させることによって、付勢体１９がブラケット１７に取り付けられている。
【００４２】
一方、ガススプリング１１の先端部には、このガススプリング１１のシリンダ１２内の圧縮空気の開放操作を行うことで、ピストンロッド１３を延設させるための操作部２１が取り付けられている。この操作部２１とレバー１８はワイヤー２２によって接続されており、使用者がレバー１８を上方に向けて回動操作することにより、操作部２１がシリンダ１２内の圧縮空気を開放操作するようになっている。尚、レバー１８の回動操作は、使用者がレバー１８から手を離すことにより付勢体１９がレバー１８を下方に向けて回動させるので、使用者はレバー１８を元の位置に配置しなおす必要が無いようになっている。
【００４３】
次に、このリンクテーブル１の動作について詳述する。先ず、図２（ａ）に示すように、第１使用状態におけるリンクテーブル１は、天板６を床面からの高さ位置Ｔ１である降下位置で脚柱３の前方側に配置されている。このとき、リンクテーブル１の重心は前方側に位置しているが、前方側に延設されている２本の側脚４によりリンクテーブル１を支持するとともに、脚柱３よりも後方側に支持体５の上端部が配置されていることにより前方に向けての傾倒が防止されている。
【００４４】
また、図７（ａ）に示すように、上部リンク部材９と下部リンク部材１０は、床面に対して水平に配置されており、特に上部リンク部材１０が当接突部１７ｄの被当接面１７ｆと当接することで、天板６の下方への移動を規制されている。更に、上部リンク部材９と当接突部１７ｄの被当接面１７ｆとが当接することで、ブラケット１７の後方における上部リンク部材９と天板６の下面との間には、上下寸法Ｌの間隙２３が形成される。
【００４５】
リンクテーブル１を第１使用状態から第２使用状態にする際には、使用者が天板６の前部下方に配置されたレバー１８を上方に向けて回動させることにより、ワイヤー２２を介して操作部２１からガススプリング１１を操作し、ピストンロッド１３を上方に向けて延設させる。このとき、ピストンロッド１３によって下部リンク部材１０が上方に向けて付勢されることで、下部リンク部材１０は枢支軸２４ｂを中心に後上方に向けて回動される。
【００４６】
同時に、ピストンロッド１３の上方に向けての付勢はブラケット１７を介して上部リンク部材９にも伝達されることで、上部リンク部材９は枢支軸２４ａを中心に後上方に向けて回動され、図７（ｂ）に示すように、枢支軸２４ａの先端部は当接突部１７ｄより離間する。尚、これら上部リンク部材９と下部リンク部材１０とは平行リンク機構を構成しているため、天板６は上部リンク部材９と下部リンク部材１０との後上方への回動によって水平が保たれたまま後上方に移動する。
【００４７】
そして、ピストンロッド１３が上方に向けて完全に延設されることで、図２（ｂ）に示すように、天板６が脚柱３の上方に高さ位置Ｔ２である上昇位置に配置され、リンクテーブル１が第２使用状態となる。このとき、ガススプリング１１と下部リンク部材１０の先端部近傍との間に形成されている空間部１６の先端部は、図２（ａ）に示す鋭角θよりも小さい鋭角ωに形成されているが、この先端部はカバー部材１５の閉塞板１５ｃによって左右外方から閉塞されているため、リンクテーブル１を第１使用状態から第２使用状態とする際に、使用者の手指がガススプリング１１と下部リンク部材１０との間で挟まれてしまうことが防止されている。
【００４８】
次に、リンクテーブル１を第２使用状態から第１使用状態にする際には、使用者がレバー１８を上方に向けて回動させた状態で、天板６を下方に向かって押圧し、ガススプリング１１のピストンロッド１３をシリンダ１２内に収納する。このようにすることで、上部リンク部材９と下部リンク部材１０とは、前下方に向けて回動されるので、天板６が前下方に向けて水平が保たれた状態で移動する。
【００４９】
このとき、図７（ａ）に示すように、上部リンク部材９の先端部が天板６に向かって近接するように回動して被当接面１７ｆに当接することで、上部リンク部材９は天板６の下面との間に上下寸法Ｌの間隙２３を形成して回動を停止する。この上下寸法Ｌの間隙２３が形成されることで、リンクテーブル１を第２使用状態から第１使用状態にする際に、使用者の手指がブラケット１７の後方で挟まれてしまうことが防止されている。
【００５０】
尚、上部リンク部材９と当接突部１７ｄとの間は、左右を遮蔽板１７ｅによって常に左右外方から使用者の指が入り込まないよう遮蔽されているため、天板６が上昇位置から降下位置にかけて移動されても、上部リンク部材９と当接突部１７ｄとの間に、使用者の手指が挟まれてしまうことを確実に防止できる。
【００５１】
以上説明したように、本発明の実施例としての机１では、脚体２は、上下方向に延びる脚柱３を有し、脚柱３の少なくとも一部が天板６から離間する方向に延設され、支持体５に支持アーム７が枢支されることで、天板６を支持する支持アーム７が枢支される支持体５の上端部が、天板６から離間されているため、天板６と支持アーム７とを含めた部材の重心が後方側に配置されるようになり、天板６を脚体２から前方に張り出すように配置し、その天板６の前部に大きな荷重が加わっても、安定して設置できるリンクテーブル１とすることができる。
【００５２】
また、脚柱３における支持体５は、支持体５の上端部を天板６から離間する方向に傾斜させて形成されることで、天板６から離間する支持体５の上端部を脚柱３に容易に形成でき、かつ支持体５の上端部の下方側の空間に、支持体５の上端部を支持する部材等が配置されずに済むようになり、使用者の足等が配置される脚柱３周りの空間を広くすることができる。
【００５３】
また、脚柱３における支持アーム７の基端部が枢支される部位よりも下方の部位に、天板６を上方に付勢するガススプリング１１の基端部が枢支されることで、ガススプリング１１から天板６に加わる付勢力の方向が、より垂直方向に近づくようになり、ガススプリング１１により天板６を持ち上げる力を大きく作用させることができ、支持アーム７が水平に近づいた場合であっても、ガススプリング１１が天板６に対して大きな付勢力を作用させることができる。
【００５４】
また、支持アーム７は、先端部が天板６に、基端部が脚柱３に、各々枢支される２つの上部リンク部材９及び下部リンク部材１０が上下平行に配置される平行リンク機構として構成され、天板６の高さ調整を平行リンク機構の回動により行うようになっていることで、天板６を支持する支持アーム７に平行リンク機構を用いることによって、天板６を常に水平に支持した状態で、天板６の高さ調整を行うことができる。
【００５５】
また、天板６は、その下部に下方に突出するブラケット１７を有し、ブラケット１７に上部リンク部材９及び下部リンク部材１０の先端部を各々枢支するとともに、ガススプリング１１の先端部が下部リンク部材１０の先端部近傍に枢支されることで、ガススプリング１１から天板６に加わる付勢力が、下方に突出するブラケット１７の下方側を押し上げるようにして、天板６の前方側を持ち上げるように作用し、使用者に近い天板６の前方側に大きな荷重が加わっても、ガススプリング１１により天板６を持ち上げることができる。
【００５６】
以上、本発明の実施例を図面により説明してきたが、具体的な構成はこれら実施例に限られるものではなく、本発明の要旨を逸脱しない範囲における変更や追加があっても本発明に含まれる。
【００５７】
例えば、前記実施例では、企業の会議等で使用されるリンクテーブル１として説明したが、使用される場所は教育機関や一般家庭等であってもよい。
【００５８】
また、前記実施例では、支持体５と下部リンク部材１０との間に付勢手段としてのガススプリング１１を取り付けたが、付勢手段として用いるものは下部リンク部材１０を上方に向けて付勢することができればオイルダンパやバネ等であってもよい。
【００５９】
また、支持体５と下部リンク部材１０との間に付勢手段としてのガススプリング１１を取り付け、下部リンク部材１０を上方に付勢することで天板６を上後方に移動させたが、このガススプリング１１は必ずしも必要ではなく、例えば、ガススプリング１１を設けずに、支持体５に上部リンク部材９または下部リンク部材１０の前後揺動位置を固定する固定手段を設け、使用者が手動により天板６を移動させた後、固定手段により上部リンク部材９または下部リンク部材１０を固定することで、リンクテーブル１の第１使用状態と第２使用状態とを調整可能としてもよい。
【００６０】
また、前記実施例では、支持アーム７が枢支される支持体５が脚柱３の上端部から延設されていたが、脚柱３の上端部よりも下方の部位から支持体を天板６から離間する方向に延設して、この支持体に支持アーム７を枢支するようにしてもよい。
【図面の簡単な説明】
【００６１】
【図１】（ａ）は、本発明の実施例におけるリンクテーブルの第１使用状態を示す斜視図であり、（ｂ）は、リンクテーブルの第２使用状態を示す斜視図である。
【図２】（ａ）は、リンクテーブルの第１使用状態を示す側面図であり、（ｂ）は、リンクテーブルの第２使用状態を示す側面図である。
【図３】支持アームとブラケットを示す分解斜視図である。
【図４】（ａ）は、ブラケットを示す斜視図であり、（ｂ）は、ブラケットを示す背面図である。
【図５】リンクテーブルの第１使用状態を示す縦断側面図である。
【図６】リンクテーブルの第２使用状態を示す縦断側面図である。
【図７】（ａ）は、図５における上部リンク部材の先端部周りを示す一部拡大縦断側面図であり、（ｂ）は、図６における上部リンク部材の先端部周りを示す一部拡大縦断側面図である。
【図８】図５におけるカバー部材を示すＡ−Ａ端面図である。
【符号の説明】
【００６２】
１                リンクテーブル（テーブル）
２                脚体
３                脚柱
５                支持体
６                天板
７                支持アーム
９                上部リンク部材
１０              下部リンク部材
１０ａ            突軸部
１１              ガススプリング（付勢手段）
１５              カバー部材
１５ａ            収容部
１５ｃ            閉塞板（閉塞部）
１５ｄ            筒部
１６              空間部
１７              ブラケット（アーム受け部）
１７ｄ            当接突部（突部）
１７ｅ            遮蔽板
１７ｆ            被当接面
【図１】
2010104409.tif 000003
【図２】
2010104409.tif 000004
【図３】
2010104409.tif 000005
【図４】
2010104409.tif 000006
【図５】
2010104409.tif 000007
【図６】
2010104409.tif 000008
【図７】
2010104409.tif 000009
【図８】
2010104409.tif 000010